(57)【要約】【課題】気象条件や日照条件に左右されずに汚損または故障による太陽光発電パネルの発電量低下を検知し、太陽光発電パネルの異常を警告する手段を提供する。【解決手段】太陽光発電パネル１０１−１〜ｎが発電した発電量を、発電量測定部１０３−１〜ｎが測定し、測定した発電量データを発電量履歴記憶部１０４に格納する。比較要求時間となると発電量比較部１０５は、発電量データから単位面積あたりの発電量をパネルタイプ別、期間別に算出し、設置角度補正係数で補正した発電量を算出、比較を行う。また、予め定められた所定値未満の発電量であった場合、通信制御部１０７およびＷＡＮ  ＩＦ１０８、ＬＡＮ  ＩＦ１０９を介して所定の通知先へパネルの異常または汚れに係わる警告を通知する。【選択図】    図２
2014060365.tif 000002
【特許請求の範囲】
【請求項１】
１以上の太陽光発電パネルと、前記太陽光発電パネルの発電量を監視する発電監視装置と、発電量に係わる情報を所定の宛先へ通知する通信装置から成る発電システムであって、
前記発電監視装置は、前記太陽光発電パネルが発電する発電量を定期的または不定期に測定する発電量測定手段と、前記発電量測定手段が測定した発電量を履歴として記憶する発電量履歴記憶手段と、前記発電量測定手段が測定した発電量と前記発電量履歴記憶手段に記憶されている発電量のいずれかと比較する発電量比較手段と、を有し、
前記発電量履歴記憶手段に記憶された発電量から複数の所定期間の平均値を算出し、前記算出した現在時刻に近い第１の期間の平均値と前記第１の期間より過去の第２の期間の平均値を比較し、前記第１の期間の平均値の値が前記第２の期間の平均値の値より予め定められた所定値より小さい値であったならば、前記通信装置は、前記通知先に前記太陽光発電パネルの異常または汚れに係わる警告を通知することを特徴とする異常警告機能を有する太陽光発電システム。
【請求項２】
１以上の太陽光発電パネルと、前記太陽光発電パネルの発電量を監視する発電監視装置と、発電量に係わる情報を所定の宛先へ通知する通信装置から成る発電システムであって、
前記発電監視装置は、前記太陽光発電パネルの各々が発電する発電量を定期的または不定期に測定する発電量測定手段と、前記発電量測定手段が測定した発電量を履歴として記憶する発電量履歴記憶手段と、を有し、
前記通信装置は、前記太陽光発電パネルの発電量に係わる情報を他の発電システムへ通知する発電量通知手段と、予め登録された他発電システムから前記他の発電システムが備える太陽光発電パネルの発電量に係わる情報を受信する発電量受信手段と、を有し、
前記発電量測定手段が測定したまたは前記発電量履歴記憶手段に記憶されている所定の発電量と前記発電量に対応する日時の前記他通信システムから受信した発電量を比較し、前記発電量測定手段が測定したまたは前記発電量履歴記憶手段に記憶されている発電量が前記他通信システムから受信した発電量より予め定められた所定値より小さい値であったならば、前記通信装置は、前記通知先に前記太陽光発電パネルの異常または汚れに係わる警告を通知することを特徴とする異常警告機能を有する太陽光発電システム。
【請求項３】
複数の太陽光発電パネルと、前記太陽光発電パネルの各々の発電量を監視する発電監視装置と、発電量に係わる情報を所定の宛先へ通知する通信装置から成る発電システムであって、
前記発電監視装置は、前記太陽光発電パネルの各々が発電する発電量を定期的または不定期に測定する発電量測定手段と、前記発電量測定手段が測定した前記太陽光発電パネルの各々の発電量を履歴として記憶する発電量履歴記憶手段と、を有し、
前記発電量測定手段が測定したまたは前記発電量履歴記憶手段に記憶されている所定の位置に設置されている第１の太陽光発電パネルが発電した発電量と前記第１の太陽光発電パネルとは別の位置に設置されている第２の太陽光発電パネルが発電した発電量を比較し、同一日時の発電量の差分が予め定められた所定値以上あったならば、前記通信装置は、前記通知先に前記太陽光発電パネルの異常または汚れに係わる警告を通知することを特徴とする異常警告機能を有する太陽光発電システム。
【発明の詳細な説明】
【技術分野】
【０００１】
本発明は太陽光発電システムの異常を検知して警告を行う場合の検知方法に関する。
【背景技術】
【０００２】
複数の太陽光発電パネルを備える太陽光発電システムにおいて、太陽光発電パネルの汚損または故障などによって発電量が低下した場合、複数の太陽光発電パネルから汚損または故障した太陽光発電パネルを特定する必要がある。その為に、太陽光発電パネルの各々が自身の動作状態（動作しているか否か、動作が正常か否か）を検出し、作業者がメンテナンスを行う端末を用いて当該太陽光発電パネルから動作状態を取得したときに、同時に端末自身の位置情報をＧＰＳ等で取得することにより、異常な動作をしている太陽光発電パネルの位置を特定する技術が特許文献１に提案されている。
【先行技術文献】
【特許文献】
【０００３】
【特許文献１】特開２０１１−１８１８５３号公報
【発明の概要】
【発明が解決しようとする課題】
【０００４】
しかしながら、特許文献１の技術により太陽光発電パネルの位置を特定することは可能ではあるが、気象条件や日照条件に発電量が大きく左右される太陽光発電パネルにおいて、発電量の低下が真に故障によるものか否かについては考慮されておらず、これを検知することは困難であり、誤検知が多くなり易いという問題がある。かつ、作業者がメンテナンスを行う端末を持ち、実際に太陽光発電パネルの元まで行き動作状態を取得しなければならないという不便がある。
【０００５】
本発明は、上記の問題を鑑みてなされたものであり、気象条件や日照条件に左右されずに汚損または故障による太陽光発電パネルの発電量低下を検知し、太陽光発電パネルの異常を警告する太陽光発電システムを提供することを目的とする。
【課題を解決するための手段】
【０００６】
上記課題を解決するために、本発明は１以上の太陽光発電パネルと、前記太陽光発電パネルの発電量を監視する発電監視装置と、発電量に係わる情報を所定の宛先へ通知する通信装置から成る発電システムであって、前記発電監視装置は、前記太陽光発電パネルが発電する発電量を定期的または不定期に測定する発電量測定手段と、前記発電量測定手段が測定した発電量を履歴として記憶する発電量履歴記憶手段と、前記発電量測定手段が測定した発電量と前記発電量履歴記憶手段に記憶されている発電量のいずれかと比較する発電量比較手段と、を有し、前記発電量履歴記憶手段に記憶された発電量から複数の所定期間の平均値を算出し、前記算出した現在時刻に近い第１の期間の平均値と前記第１の期間より過去の第２の期間の平均値を比較し、前記第１の期間の平均値の値が前記第２の期間の平均値の値より予め定められた所定値より小さい値であったならば、前記通信装置は、前記通知先に前記太陽光発電パネルの異常または汚れに係わる警告を通知することを特徴とする。
【０００７】
また、本発明は１以上の太陽光発電パネルと、前記太陽光発電パネルの発電量を監視する発電監視装置と、発電量に係わる情報を所定の宛先へ通知する通信装置から成る発電システムであって、前記発電監視装置は、前記太陽光発電パネルの各々が発電する発電量を定期的または不定期に測定する発電量測定手段と、前記発電量測定手段が測定した発電量を履歴として記憶する発電量履歴記憶手段と、を有し、前記通信装置は、前記太陽光発電パネルの発電量に係わる情報を他の発電システムへ通知する発電量通知手段と、予め登録された他発電システムから前記他の発電システムが備える太陽光発電パネルの発電量に係わる情報を受信する発電量受信手段と、を有し、前記発電量測定手段が測定したまたは前記発電量履歴記憶手段に記憶されている所定の発電量と前記発電量に対応する日時の前記他通信システムから受信した発電量を比較し、前記発電量測定手段が測定したまたは前記発電量履歴記憶手段に記憶されている発電量が前記他通信システムから受信した発電量より予め定められた所定値より小さい値であったならば、前記通信装置は、前記通知先に前記太陽光発電パネルの異常または汚れに係わる警告を通知することを特徴とする。
【０００８】
また、本発明は複数の太陽光発電パネルと、前記太陽光発電パネルの各々の発電量を監視する発電監視装置と、発電量に係わる情報を所定の宛先へ通知する通信装置から成る発電システムであって、前記発電監視装置は、前記太陽光発電パネルの各々が発電する発電量を定期的または不定期に測定する発電量測定手段と、前記発電量測定手段が測定した前記太陽光発電パネルの各々の発電量を履歴として記憶する発電量履歴記憶手段と、を有し、前記発電量測定手段が測定したまたは前記発電量履歴記憶手段に記憶されている所定の位置に設置されている第１の太陽光発電パネルが発電した発電量と前記第１の太陽光発電パネルとは別の位置に設置されている第２の太陽光発電パネルが発電した発電量を比較し、同一日時の発電量の差分が予め定められた所定値以上あったならば、前記通信装置は、前記通知先に前記太陽光発電パネルの異常または汚れに係わる警告を通知することを特徴とする。
【発明の効果】
【０００９】
本発明によれば、太陽光発電パネルの汚損または故障により発電量が低下したことを検知し、かつ過去の発電パネルの発電量、または他の発電システムの発電量、または他の発電パネルの発電量と現在時刻に近い所定期間の発電量とを比較することにより、気象条件や日照条件に左右されずに太陽光発電パネルの発電量低下を検知し、誤検知を減少させることが可能である。
【図面の簡単な説明】
【００１０】
【図１】本発明の異常警告機能を有する太陽光発電システムの接続構成図である。
【図２】本発明の異常警告機能を有する太陽光発電システムのブロック図である。
【図３】本発明の異常警告機能を有する太陽光発電システムにおける発電量履歴データイメージ図である。
【図４】本発明の異常警告機能を有する太陽光発電システムにおける動作フローチャートである。
【発明を実施するための形態】
【００１１】
図１は本発明の異常警告機能を有する太陽光発電システムの接続構成図である。自発電システムと他発電システムの接続方法を表した図であり、自発電システムおよび他発電システムとは図２で説明する太陽光発電システムである。自発電システムおよび他発電システムは発電した電力を外部へ給電するものである。
【００１２】
自発電システム１００には、ＬＡＮを介して端末Ｃ−１〜ｎ（２００ａ−１〜ｎ）を接続し、自発電システムの内線端末として使用する。また、他発電システムＡ−１〜ｎ（３００ａ−１〜ｎ）をＬＡＮを介して接続する。さらにＷＡＮを介しネットワーク５００（電話網、ＩＰ網）に接続される他発電システムＢ−１〜ｎ（３００ｂ−１〜ｎ）とのデータの送受信を行う。尚、以上で説明した各々の接続は有線に限らず無線でもよい。
【００１３】
また、自発電システム１００には、ＬＡＮを介して外部機器４００を接続する。例えば外部機器４００は発電パネル洗浄装置であって、自発電システム１００から送信される発電量の低下の通知を発電パネル洗浄装置が受信した場合に、発電パネルを洗浄する。また、例えば外部機器４００は監視カメラであって、発電量の低下の通知を受信した場合に、当該発電パネルを撮影する。このように、通知を受けて動作を開始するような機器を接続するものとして、複数台接続可能とする。
【００１４】
このように自発電システム１００は、自発電システムが備えるＬＡＮ、およびＷＡＮに接続される他発電システム、端末または外部機器と発電量データを送受信することが可能である。また、所定の通知先と発電量データの送受信を行い、自発電システムの発電量を他発電システムと比較することで、自発電システムの発電効率の低下を知ることができる。また自発電システムの太陽光発電パネルの発電量低下または汚れの警報を所定の通知先へ通知することができる。尚、所定の通知先とは、図１で示す自発電システムとデータ送受信可能な他通信システムおよび端末全てが対象である。以下、「所定の通知先へ通知」という表現で略す。
【００１５】
図２は本発明の異常警告機能を有する太陽光発電システムのブロック図である。太陽光発電システム１００は、太陽光発電パネル１〜ｎ（１０１−１〜ｎ）と発電監視装置１０２と通信装置１０６とで構成される。尚、図２において発電監視装置１０２と通信装置１０６とをブロックに分けて記載しているが、一体型としてもよい。
【００１６】
太陽光発電パネル１〜ｎ（１０１−１〜ｎ）は太陽光エネルギーを電気エネルギーに変換する発電パネルである。尚、太陽光発電パネルはどのような形状でもよく、通常の長方形でも球体でもよい。
【００１７】
発電監視装置１０２は、発電量測定部１〜ｎ（１０３−１〜ｎ）と発電量履歴記憶部１０４と発電量比較部１０５とで構成される。
【００１８】
発電量測定部１〜ｎ（１０３−１〜ｎ）は、太陽光発電パネル１〜ｎ（１０１−１〜ｎ）毎に備えており、接続される太陽光発電パネル１〜ｎ（１０１−１〜ｎ）毎の発電量を測定し、発電量データを発電量履歴記憶部１０４に送信する。ここで、この場合の発電量とは発電電力であるが、発電パネル固有の発電特性に応じて発電電流、発電電圧を測定してもよい。
【００１９】
また発電電力は太陽光発電パネル１〜ｎ（１０１−１〜ｎ）から発電量測定部１〜ｎ（１０３−１〜ｎ）を経由し、蓄電部１１０に蓄電し、外部へ給電する。発電量測定部１〜ｎ（１０３−１〜ｎ）を経由する理由は、発電電流を測定するためであり、発電電圧のみ測定する場合は発電量測定部１〜ｎ（１０３−１〜ｎ）を経由せず、太陽光発電パネル１〜ｎ（１０１−１〜ｎ）から蓄電部１１０に蓄電し、外部へ給電してもよい。
【００２０】
発電量履歴記憶部１０４は、発電量測定部１〜ｎ（１０３−１〜ｎ）から発電量データを受信し、発電パネル毎に蓄積する。発電量データについての詳細は図３で後述する。
【００２１】
発電量比較部１０５は、あらかじめ設定しておいた比較要求時間が到来した場合、発電量履歴記憶部１０４に蓄積されている各発電パネルから発電量データを取得し、各発電パネルの発電量を単位面積あたりの発電量をパネルタイプ別、期間別に算出し、設置角度補正係数で補正した発電量どうしを比較する。所定値以上の差分があった場合、発電量比較部１０５は通信装置１０６に対し発電パネルの発電量低下の旨の通知を送信する。
【００２２】
通信装置１０６は、通信制御部１０７とＷＡＮインターフェース１０８（以下、インターフェースをＩＦと略す）、ＬＡＮ  ＩＦ１０９で構成され、自発電システムと外部とのデータの送受信、所定の通知先に対する発電量低下または汚れの警報を通知する。
【００２３】
通信制御部１０７は、発電量比較部１０５から発電パネルの発電量低下の旨の通知を受信し、ＷＡＮ  ＩＦ１０８、ＬＡＮ  ＩＦ１０９を介した通信の制御を行う。また、ＷＡＮ  ＩＦ１０８、ＬＡＮ  ＩＦ１０９は、各々複数備えるものとし、有線に限らず無線でもよい。またＷＡＮ  ＩＦ１０８はアナログ外線またはＩＳＤＮ回線、ＬＡＮ  ＩＦ１０９は内線ＩＦでもよく、構内交換装置やボタン電話装置のように外線と内線を複数備える装置であってもよい。
【００２４】
さらに通信制御部１０７は、他発電システムから発電量データの送信要求を受信すると、発電量履歴記憶部１０４を参照し、ＷＡＮ  ＩＦ１０８、ＬＡＮ  ＩＦ１０９を介して他発電システムに発電量データを送信する。または、他発電システムへ発電量データの送信要求を送信し、ＷＡＮ  ＩＦ１０８、ＬＡＮ  ＩＦ１０９を介して他発電システムから発電量データを受信する。
【００２５】
図３は本発明の異常警告機能を有する太陽光発電システムにおける発電量履歴データイメージ図である。図３を用いて発電量履歴記憶部１０４における発電量データの蓄積方法について説明する。
【００２６】
パネルＩＤ５０１のＡ−１とは、Ａがパネルタイプを示し、パネルの製造メーカー、パネルの発電方式、パネルの形状による発電量の差を分けて管理する記号であり、Ａ、Ｂ・・・とアルファベットで示す。１はパネルナンバーを示し、図２の太陽光発電パネル１（１０１−１）に対応している番号である。
【００２７】
設置角度補正係数５０２のＫａ１とは、パネルＩＤがＡ−１の設置角度補正係数を示す。パネル毎に設置角度が異なる場合、発電量を補正係数で補正するための係数である。設置角度補正係数５０２は、例えば角度が何度異なると発電量が何％変化するという開示された測定データをもとにあらかじめ係数として設定しておく。また角度に限らず、日照時間による発電量の差、地域毎の季節による発電量の差、天候による発電量の差を補正してもよい。
【００２８】
測定日時５０３のＴ１とは、パネル発電量を測定した日時であり、２０１２年８月１日１２時００分というように年、月、日、時間を管理する。測定する毎にＴ１、Ｔ２、・・・Ｔｊとデータを蓄積していき、Ｔｊが現在時刻に最も近い最新データを示す。
【００２９】
面積（平方メートル）５０４は、異なる面積の太陽光発電パネルの発電量を比較する場合、所定の面積あたりの発電量を算出するために必要である。発電量（Ｗ：ワット）５０５は、太陽光発電パネルの発電量であり、発電量の測定値である。このようにパネルＩＤ毎の測定データ（５０６）を管理する。
【００３０】
図４は本発明の異常警告機能を有する太陽光発電システムにおける動作フローチャートである。
発電監視装置１０２は、あらかじめ設定しておいた測定時間が到来した場合（Ｓ１００  ＹＥＳ）、発電パネル１〜ｎの発電量を測定（Ｓ１０１）する。測定時間到来Ｓ１００はユーザーが通信装置の内線端末からの操作により任意に要求するものであってもよい。
【００３１】
発電パネル１〜ｎの発電量の測定データを発電量履歴記憶部１０４に追加し、発電パネル１〜ｎの発電量履歴を更新（Ｓ１０２）する。
【００３２】
測定時間が到来していない場合（Ｓ１００  ＮＯ）、自発電システムに対し他発電システムから発電量データの要求が有りの場合（Ｓ１０３  ＹＥＳ）、要求元の他発電システムに対し、通信装置１０６を介して発電量データを送信（Ｓ１０４）する。発電量データの要求は、図３で示すパネルＩＤで指定するが、複数のパネルまたは全てのパネルの発電量データを指定してもよい。
【００３３】
自発電システムに対し他発電システムから発電量データの要求が無しの場合（Ｓ１０３  ＮＯ）、Ｓ１００へ戻る。
【００３４】
次にあらかじめ設定しておいた比較要求時間が到来した場合（Ｓ１０５  ＹＥＳ）、各発電パネルの発電量データを取得（Ｓ１０６）する。発電量データを取得する対象のパネルはパネルＩＤで指定する。また自発電システムの発電監視装置１０２が通信装置１０６を介して他発電システムに対し発電量データをパネルＩＤで指定してもよい。パネルＩＤ指定による発電量データの取得は、複数でもよい。比較要求時間到来Ｓ１０５はユーザーが通信装置の内線端末からの操作により任意に要求するものであってもよい。比較要求時間が到来していない場合（Ｓ１０５  ＮＯ）、Ｓ１００へ戻る。
【００３５】
次に各発電パネルの発電量を単位面積あたりの発電量をパネルタイプ別、期間別に算出し、設置角度係数で補正（Ｓ１０７）する。図３を用いて詳細を説明する。
【００３６】
パネルＩＤ（Ａ−１）とパネルＩＤ（Ｂ−１）の測定日時Ｔ１の発電量の比較をする場合を例に説明する。パネルＩＤ（Ａ−１）とパネルＩＤ（Ｂ−１）は、パネルタイプとパネル面積の異なるパネルである。パネルＩＤ（Ａ−１）の測定日時Ｔ１の発電量５０５は１２０Ｗである。面積５０４は１００平方メートルであるため、単位面積あたりの発電量は１２０Ｗ÷１００平方メートルで、１．２Ｗである。設置角度補正係数Ｋａ１は、１．１だとすると、１．２Ｗ×１．１＝１．３２Ｗとなり、この１．３２Ｗという値がパネルＩＤ（Ａ−１）の設置角度補正後の発電量である。
【００３７】
パネルＩＤ（Ｂ−１）の測定日時Ｔ１の発電量５０５は７８Ｗである。面積５０４は６４平方メートルであるため、単位面積あたりの発電量は７８Ｗ÷１００平方メートルで、０．７８Ｗである。設置角度補正係数Ｋｂ１は、１．２だとすると、０．７８Ｗ×１．２＝０．９３６Ｗとなり、この０．９３６Ｗという値がパネルＩＤ（Ｂ−１）の設置角度で補正した発電量である。
【００３８】
パネルＩＤ（Ａ−１）の１．３２Ｗ、パネルＩＤ（Ｂ−１）の０．９３６Ｗを使用し、パネルタイプ別に発電量データ比較（Ｓ１０８）を行う。１．３２Ｗ÷０．９３６Ｗ＝１．４１で、パネルＩＤ（Ａ−１）はパネルＩＤ（Ｂ−１）の１４１％の発電量と算出できる。また０．９３６Ｗ÷１．３２Ｗ＝０．７１で、パネルＩＤ（Ｂ−１）はパネルＩＤ（Ａ−１）の７１％の発電量と算出できる。発電量が低下していると判断する値を８０％未満とあらかじめ設定しておいたとすると、パネルＩＤ（Ｂ−１）は所定値以上の差分有り（Ｓ１０９  ＹＥＳ）と判断し、通信装置１０６を介し、発電量低下または汚れの警報を所定の通知先へ通知（Ｓ１１０）する。通知内容はパネルＩＤ、発電量低下の旨の通知である。所定の通知先とは図１の説明で行ったとおりである。また所定値以上の差分無しの場合（Ｓ１０９  ＮＯ）は、Ｓ１００へ戻る。
【００３９】
また前述のとおりパネルタイプ別に比較を行うが、パネルの製造メーカー、パネルの発電方式、パネルの形状による発電量の差が正確に開示されている場合、設置角度補正係数５０２でパネルタイプによる発電量の差を補正して、異なるパネルタイプどうしの比較を行うことも可能である。
【００４０】
ここで、パネルＩＤ（Ａ−１）とパネルＩＤ（Ｂ−１）の測定日時Ｔ１の発電量の比較を例に説明を行ったが、測定日時をある一定の期間として比較を行ってもよい。ある一定期間どうしの発電量の比較の場合、平均発電量で比較する。期間は時間単位、日数単位、週単位、月単位、季節単位が挙げられるが、同じ期間どうしで比較を行うことで比較の精度が向上する。また、より正確な比較が要求される場合、実際に設置されている隣り合う発電パネル同士のみ比較を行ってもよい。設置場所が近ければ近いほど、季節による気象条件、日照時間による発電量の変化、天候による発電量の変化の相違が少ないためである。
【００４１】
また他のパネルとの比較に限らず、ある１つのパネルに対する過去と現在の発電量の比較を行うことができる。測定日時Ｔ１〜Ｔｊのうち現在時刻に近い３０日間の設置角度で補正した平均発電量を第一の期間の平均発電量とし、測定日時Ｔ１〜Ｔｊのうち第一の期間よりも過去の３０日間の設置角度で補正した平均発電量を第二の期間の平均発電量とする。第一の期間と第二の期間の平均発電量を比較するものであってもよい。
【００４２】
また自発電システムのパネルと他発電システムのパネルの発電量を比較してもよい。図４の各発電パネルの発電量データ取得Ｓ１０６で、通信装置１０６を介し他発電システムに対し、特定のパネルＩＤの発電量データを要求し、他発電システムから送信された発電量データを取得することで、自発電システムのパネルとの比較が可能である。他発電システムに要求する発電量データは、複数の測定日時の発電量データでもよく、前述の期間での比較を行ってもよい。また他発電システムから受信した発電量データを発電量履歴記憶部１０４に格納してもよい。格納することで、他通信システムとの通信が不可能な場合に利用可能である。
【００４３】
ここで太陽光発電システムについて説明を行ったが、複数の内線と外線を備える電話システムの内線に太陽光発電パネル搭載内線端末を接続してもよい。構成は図２に示す太陽光発電パネル１〜ｎ（１０１−１〜ｎ）を太陽光発電パネル搭載内線端末とする。また発電監視装置１０２と通信装置１０６を一体化させたものを電話システムとし、通信制御部１０７を介し他の内線、ＷＡＮ、ＬＡＮとの通信を行う内線ＩＦを設け、内線ＩＦ内に発電量測定部１〜ｎ（１０３−１〜ｎ）を搭載する。
【００４４】
主なメリットについて説明する。１つ目としては、電話システムと太陽光発電パネル搭載内線端末は電話機能としての音声データおよび画像データ、時刻および端末収容位置のデータを時分割多重に代表される多重方式により元々送受信しているため利用でき、発電量に関するデータを挿入し、時刻データおよび端末収容位置データと関連付けることは容易である。
【００４５】
２つ目としては、太陽光発電パネル搭載内線端末が発電量低下の通知を受信した際、音声によるアラーム、表示によるアラームを元々端末が搭載しているスピーカーや表示器で容易に実現可能である。
【００４６】
３つ目としては、太陽光発電パネル搭載内線端末が発電する発電電力を太陽光発電パネル搭載内線端末自体の給電に容易に利用可能であること。また電話システムに発電電力を送電し、電話システムから外部へ売電目的で送電しても、また電話システム内部の電力として使用してもよい。
【００４７】
４つ目としては、太陽光発電パネルを内線端末に搭載することでオフィスやホテルで小規模な発電システムを実現でき、かつ多数の太陽光発電パネル搭載内線端末を接続できる発電システムを実現できることである。
【００４８】
このように本発明によれば、発電パネルの発電量を一定期間の平均値、または別の発電パネルの発電量、または他発電システムの発電パネルの発電量と比較を行うことで、気象条件、日照時間に左右されず、発電量低下の検知の精度を上げることが可能となる。
【００４９】
また、本発明は発電量が低下していることを所定の通知先へ警告通知するが、発電量がある所定の期間中において、所定の発電量低下を継続している場合には、所定の通知先へ故障の警告通知をすることも可能である。
【００５０】
また本発明は小規模な発電システムからメガソーラーに代表される大規模な発電システムにまで適用可能である。また太陽光発電パネルに限らず、発電装置を複数台利用する発電システムに容易に適用可能である。
【符号の説明】
【００５１】
１００・・・太陽光発電システム（自発電システム）
１０１−１〜１０１−ｎ・・・太陽光発電パネル
１０２・・・発電監視装置
１０３−１〜１０３−ｎ・・・発電量測定部
１０４・・・発電量履歴記憶部
１０５・・・発電量比較部
１０６・・・通信装置
１０７・・・通信制御部
１０８・・・ＷＡＮ  ＩＦ
１０９・・・ＬＡＮ  ＩＦ
２００ａ−１〜２００ａ−ｎ・・・端末
３００ａ−１〜３００ａ−ｎ、３００ｂ−１〜３００ｂ−ｎ・・・他発電システム
４００・・・外部機器
【図１】
2014060365.tif 000003
【図２】
2014060365.tif 000004
【図３】
2014060365.tif 000005
【図４】
2014060365.tif 000006